(57)【要約】【課題】  制御ユニットが自動的に冷凍管の加熱収縮熱塑膜密封作業を完成させる機器を提供する。【解決手段】  機台９０上方には加熱送風装置２０が固定され、下方には輸送用モーター３０及びその輸送用モーター３０により駆動され上下垂直移動するウォームギヤ３１が固定される。加熱送風装置２０と輸送用モーター３０の間を介する一対の滑り動き軸４１を有する。平台４２は滑り動き軸４１上で滑り動き可能で、底面には連結棒３２がウォームギヤ３１の頂端に連結される。平台４２は輸送用モーター３０及びウォームギヤ３１の駆動で上下垂直移動する。平台４２に固定される回転用モーター４４の回転軸４５は平台４２の上の表面に伸び出ている。回転軸４５に固定される挟み持ちベース４３は冷凍管の管ボディ１２を垂直に挟み持つ。回転用モーター４４が起動した際、挟み持ちベース４３及び挟み持たれている冷凍管を縦軸に於いて回転させる。【選択図】    図３
0003109828.tif 000002
【実用新案登録請求の範囲】
【請求項１】
冷凍管封膜機であって、
冷凍管は一つの管ボディ、一つの回転蓋及び一つの管状熱塑膜を含み、そのうち回転蓋は管ボディの一つの開き口端上にねじ合わされ、熱塑膜は回転蓋と管ボディの接合しているところで被せ合わさり、
冷凍管封膜機は、一つの冷凍管を挟み持つ挟み持ちベースであり、管ボディは開き口端の底部に相対して挟み持ちベース内に挟み持たれ、回転蓋及び熱塑膜はその挟み持ちベース外に露出し、
一つの回転機構は、挟み持ちベースを駆動し挟み持ちベース内に挟み持たれた冷凍管を一つの縦軸を回転させるのに用いられ、
一つの加熱機構は、挟み持ちベースに挟み持たれた冷凍管の熱塑膜を加熱可能であり、加熱機構の加熱により熱塑膜が収縮されることを特徴とする冷凍管封膜機。
【請求項２】
更に挟み持ちベースと回転機構を一つの作業位置から一つの加熱位置に移動させる時に用いられる一つの輸送機構を含み、加熱位置を作業位置に移動させ戻し、加熱位置に在る際、挟み持ちベースに挟み持たれる冷凍管は熱塑膜に於いて加熱機構により加熱される位置に位置することを特徴とする請求項１記載の冷凍管封膜機。
【請求項３】
更に回転機構の起動及び加熱機構の起動の制御に用いられる一つの制御ユニットを含み、加熱機構が挟み持ちベースに挟み持たれる回転中の冷凍管の熱塑膜に対し所定の時間加熱を行うことを特徴とする請求項１記載の冷凍管封膜機。
【請求項４】
更に回転機構、加熱機構及びその輸送機構の起動を制御することに用いられる一つの制御ユニットを含み、挟み持ちベースと回転機構を輸送機構が作業位置から加熱位置にまで移動させ、加熱機構は回転中にその挟み持ちベースに挟み持たれる冷凍管の熱塑膜に対し一定の予め定められた時間加熱を行い、加熱終了後挟み持ちベースと回転機構を輸送機構が加熱位置から作業位置にまで移動させることを特徴とする請求項２記載の冷凍管封膜機。
【請求項５】
挟み持ちベースは熱絶縁のものであることを特徴とする請求項１から請求項４のいずれか一項記載の冷凍管封膜機。
【請求項６】
加熱機構は熱風吹き出し方式で以って熱塑膜に対し加熱を行うことを特徴とする請求項１から請求項４のいずれか一項記載の冷凍管封膜機。
【考案の詳細な説明】
【技術分野】
【０００１】
本考案は、冷凍管に於いて加熱収縮熱塑膜方式により密封を加えるのに用いられる機器に関する。
【背景技術】
【０００２】
数多くの生物性サンプル（微生物、細胞及び組織、精子等）の長期保存方式はサンプルを冷凍培養基と混合後、冷凍保存管（cryovial  or  cryotube）（以下略称冷凍管）の中に分け入れ、更に液体窒素槽の中で−１９６℃にて保存している。しかしながら冷凍管の回転蓋と管ボディの構造及び材質上の差異により、冷凍管に液体窒素が滲み入る場合、回転蓋及び管ボディは熱膨張縮小の程度の違いにより、液体窒素が極めて容易に冷凍管内に滲み入り、細胞の汚染や取り出した際に管内の液体窒素が急速に気化し爆発することがあった。
【０００３】
現在の市場においては液体窒素の温度に耐えられ長期使用が可能な熱塑膜製品は既に存在する。この熱塑膜はポリエチレン（polyethylene、ＰＥ）材質であり、使用の際この半透明、管状のＰＥ膜を適当な長さに切り取り、それを冷凍管外面に於いて被せて、ガスバーナー或いは小型バーナーで以って、直接高温の炎で以って加熱する。PE膜は熱を受け収縮し、最後には緊密に冷凍管を包み覆い、これにより液体窒素が滲み入ることにより生まれる汚染や爆発等の問題を避けることが可能であった。
【考案の開示】
【考案が解決しようとする課題】
【０００４】
しかしながらこの密封過程には経験ある操作者の手作業が必要であり、時間と労力を費やし、且つ品質も同一でなく、失敗率も高い（本案考案人の試験失敗率は４０％にも上る）。このほか、もし操作者が経験不足或いは注意を怠ると、加熱時間が長くなり、細胞が過度に熱を受け損傷し、ひいては貴重なサンプルの入った冷凍管を破壊することにもなっていた。従って大多数の保存作業はこの熱塑膜密封手順を省略し、また従って前述の液体窒素が冷凍管に滲み入る問題は解決されていない。
【０００５】
したがって本考案の目的は、冷凍管を加熱収縮熱塑膜方式により密封を加える機器を提供することにある。
もう一つの目的は冷凍管を加熱収縮熱塑膜方式により密封を加える機器を提供することにあり、且つ一つの制御ユニットが自動的に冷凍管の加熱収縮熱塑膜密封作業を完成させる機器を提供することにある。
【課題を解決するための手段】
【０００６】
本考案に於いて用いるのに適合する冷凍管は、一つの管ボディ、一つの回転蓋及び一つの管状熱塑膜を含み、そのうち回転蓋は管ボディの一つの開き口端上に於いてねじ合わされ、熱塑膜は回転蓋と管ボディの接合しているところに於いて被せ合わされている。
【０００７】
上述の目的を達成するため本考案の請求項に記載の冷凍管封膜機は、冷凍管を挟み持つのに於いて用いられる挟み持ちベースであり、そのうち管ボディは開き口端の底部に於いて相対して挟み持ちベース内に於いて挟み持たれ、回転蓋及び熱塑膜は挟み持ちベース外に於いて露出している。
【０００８】
一つの回転機構は、挟み持ちベースを駆動し挟み持たれた挟み持ちベース内の冷凍管の一つの縦軸を回転させるのに用いられる。
一つの加熱機構は、挟み持ちベースに於いて挟み持たれた冷凍管の熱塑膜加熱に於いて用いられ、その熱塑膜を収縮させる。
【０００９】
本考案の封膜機は、回転機構の起動及び加熱機構の起動を制御するための一つの制御ユニットを更に含み、加熱機構は回転中の挟み持ちベースに於いて挟み持たれた冷凍管の熱塑膜に対して一定の予め設定された時間の間加熱を行うことが可能である。
【００１０】
本考案の封膜機は、挟み持ちベースと回転機構を一つの作業位置から一つの加熱位置にまで移動させるのに用いられる一つの輸送機構を更に含み、加熱位置から作業位置に戻し、そのうち加熱位置に在る際は、挟み持ちベースに於いて挟み持たれた冷凍管のその熱塑膜は加熱機構の加熱の位置に位置している。
【００１１】
更に、本考案の封膜機は、回転機構、加熱機構及び輸送機構の起動を制御することに於いて用いられる一つの制御ユニットを更に含み、挟み持ちベースと回転機構で輸送機構を作業位置から加熱位置にまで移動させ、加熱機構は回転中の挟み持ちベースに於いて挟み持たれた冷凍管の熱塑膜に対して一定の予め設定された時間加熱を行うことが可能である。加熱終了後、挟み持ちベースと回転機構は輸送機構が加熱位置から作業位置に戻し移動させる。
【００１２】
挟み持ちベースは熱絶縁のものである。
加熱機構は一つの熱風が吹き出す方式により熱塑膜に対して加熱を行う。
【００１３】
本考案の機器は冷凍保存作業を行う際、時間と労力を節約し且つ品質が一致して冷凍管外面上に於いて保護封膜を加えることが可能であり、液体窒素が冷凍管に滲み入ることにより発生する問題を避け、保存品質と解凍時の安全を確保している。
【考案を実施するための最良の形態】
【００１４】
以下、本考案の実施例を図面に基づいて説明する。
図４に示すように、本考案の実施例による冷凍管１０は長さ４.３センチ及び外径１.１センチの管ボディ１２、長さ１.５センチ及び外径１.３センチの回転蓋１１及び長さ約１.５センチ及び内径約１.４センチの管状熱塑膜１５を含む。その回転蓋１１の内部にはねじ山が設けられ、管ボディ１２の開き口端の外表面にはねじ山１３が設けられ、回転蓋１１のねじ山に対応している。回転蓋１１は管ボディ１２の開き口端上でねじが噛み合い、管ボディ１２の一つの開き口１４を蓋している。管状熱塑膜１５は液体窒素温度及び長期にわたる使用に耐えられるポリエチレン（polyethylene、ＰＥ）材質であり、アメリカNunc社、CyroflexTM、カタログ番号３４３９５８で購入することが可能である。管状熱塑膜１５は回転蓋１１と管ボディ１２の接合しているところに於いて被せ合わされる。それは熱を受け収縮し、回転蓋１１と管ボディ１２上できつく束なり、それは図５に示すようになっている。
【００１５】
図１から図３に示すように、本考案の一つの比較的優れた具体的実施例が完成させた冷凍封膜機は機台９０を含む。機台９０上方に於いて加熱送風装置２０が固定され、機台９０下方に於いて固定されているのは輸送用モーター３０及びその輸送用モーター３０により駆動され上下垂直移動するウォームギヤ３１である。機台９０に於いて固定され且つ加熱送風装置２０と輸送用モーター３０の間を介する一対の滑り動き軸４１を有する。平台４２は一対の滑り動き軸４１上に於いて滑り動き可能に設置され、底面には連結棒３２がウォームギヤ３１の頂端に連結されている。平台４２は輸送用モーター３０及びウォームギヤ３１の駆動を通過させその滑り動き軸４１に於いて上下垂直移動する。平台４２の下の表面に於いて固定されている回転用モーター４４の回転軸４５は平台４２の上の表面に於いて伸び出ている。回転軸４５に於いて固定されている挟み持ちベース４３は冷凍管１０の管ボディ１２の底部を挟み持ちベース４３内に於いて垂直に挟み持つ。ただし回転蓋１１及び熱塑膜１５は挟み持ちベース４３外に於いて伸び出ていて、回転軸４５の軸心は冷凍管１０の縦軸と同一線上にある。回転用モーター４４が起動した際、挟み持ちベース４３及び挟み持ちベース内に於いて挟み持たれている冷凍管１０を冷凍管１０の縦軸に於いて回転させる。
【００１６】
本実施例による冷凍封膜機の操作手順は以下の通りである。
ａ）きつく回転させ被せ合わされた熱塑膜を有する冷凍管１０を遮熱した挟み持ちベース４３内に置き（図１及び図２に示す）、この時挟み持ちベース４３は一つの操作者が作業のしやすい位置に在る。
【００１７】
ｂ）輸送用モーター３０を起動し、ウォームギヤ３１、連結棒３２及び平台４２により、回転用モーター４４と挟み持ちベース４３を作業位置から過熱位置へと移動させ、暫くの設定時間の間滞留させる。（図３に示す）
【００１８】
ｃ）回転用モーター４４を起動し、挟み持ちベース４３を回転させ、下記の手順により加熱された熱塑膜１５を均等に収縮させる。
ｄ）加熱送風装置２０を起動し、約１６０℃の熱風を提供し、冷凍管の熱塑膜１５に熱を受けさせ、回転蓋１１と管ボディ１２の接合しているところの上を素早く収縮させきつく束ねる。（図５に示す）
【００１９】
ｅ）設定した時間に依り、加熱送風装置２０及び回転用モーター４４を停止し、再び輸送用モーター３０を起動し、回転用モーター４４と挟み持ちベース４３を過熱位置から作業位置に戻す。
ｆ）操作者によりその挟み持ちベース４３から封膜した冷凍管を取り出す。
【００２０】
前述の操作手順ｂ）からｆ）の進行は機台９０の一つの側に於いて設けられた制御ユニット５０を通過して進められる。制御ユニット５０内部には制御回路を有し、且つそれぞれ輸送用モーター３０、回転用モーター４４及び加熱送風装置２０の電気信号と連接し、輸送用モーター３０、回転用モーター４４及び加熱送風装置２０の起動/オンオフは制御回路の設定に依り、前述の操作手順ｂ）からｆ）の進行を完成させる。
【００２１】
図３から図５に示した封膜機は、輸送用モーター３０、ウォームギヤ３１及び連結棒３２を用いずに省略することも可能である。平台４２は固定式の設計を採用し、この時加熱送風装置２０は必ず挟み持ちベース４３内に於いて挟み持たれる冷凍管の熱塑膜１５に対し加熱を行う位置に調整して設置することが必要である。
【００２２】
本考案の実施例による効果は前述した液体窒素が冷凍管に滲み入ることにより生まれる問題を防止する以外にも、冷凍管が水浴槽に於いて素早く解凍した際に、水浴槽の水が冷凍管内に滲み入り汚染をもたらすことの防止を提供するところにある。
【図面の簡単な説明】
【００２３】
【図１】本考案の一実施例による冷凍封膜機を示す前視平面図である。
【図２】図１中のＡ−Ａ線に沿った断面図である。
【図３】図１中の冷凍封膜機の加熱操作を行っているときの第１図中のＡ−Ａ線に沿った断面図である。
【図４】本考案の実施例に適合させ用いた冷凍管を示す分解立体図である。
【図５】図４中の冷凍管が組み合わされた後の立体図である。
【符号の説明】
【００２４】
１０  冷凍管、１１  回転蓋、１２  管ボディ、１３  ねじ山、１４  開き口、１５  管状熱塑膜、２０  加熱送風装置、３０  輸送用モーター、３１  ウォームギヤ、３２  連結棒、４１  滑り動き軸、４２  平台、４３  挟み持ちベース、４４  回転用モーター、４５  回転軸、５０  制御ユニット、９０  機台
【図１】
0003109828.tif 000003
【図２】
0003109828.tif 000004
【図３】
0003109828.tif 000005
【図４】
0003109828.tif 000006
【図５】
0003109828.tif 000007